(57)【要約】【課題】  落雷や事故等による瞬間停電からディスプレイ本体内のデータを守ることができ、且つ台座からウェイトを無くすことができて部品コストの削減を図ることができる。【解決手段】  前側位置に斜め縦向きに配置されるディスプレイ本体１の下部側に支持部材２を介して設けられたウエイトを兼ねる台座３を有する液晶ディスプレイにおいて、前記台座３における前記ディスプレイ本体１が位置する箇所の反対側であって、前記台座３の中心部より後側位置に２次バッテリー４が配置され、この台座３の中心部より前側位置に前記２次バッテリー４からの直流を交流に変換するための基板５が配置され、前記２次バッテリー４と台座本体３Ａの上壁３ａと底壁３ｂとの間に２次バッテリー４からの発熱を逃がすための略格子状のバッテリー支持部６が設けられている。【選択図】  図１
2005134523.tif 000002
【特許請求の範囲】
【請求項１】
前側位置に斜め縦向きに配置されるディスプレイ本体の下部側に支持部材を介して設けられたウエイトを兼ねる台座を有する液晶ディスプレイにおいて、前記台座における前記ディスプレイ本体が位置する箇所の反対側であって、前記台座の中心部より後側位置に２次バッテリーが配置され、この台座の中心部より前側位置に前記２次バッテリーからの直流を交流に変換するための基板が配置され、前記２次バッテリーと台座本体の上壁と底壁との間に２次バッテリーからの発熱を逃がすための略格子状のバッテリー支持部が設けられていることを特徴とする液晶ディスプレイ。
【請求項２】
斜め縦向きに配置されるディスプレイ本体の下部側に支持部材を介して設けられたウエイトを兼ねる台座を有する液晶ディスプレイにおいて、前記台座における前記ディスプレイ本体が位置する箇所の反対側であって、前記台座の中心部より後側位置に２次バッテリーが配置され、この２次バッテリの前側位置に前記２次バッテリーからの直流を交流に変換するための基板が配置されていることを特徴とする液晶ディスプレイ。
【発明の詳細な説明】
【技術分野】
【０００１】
本発明は、前側位置に斜め縦向きに配置されるディスプレイ本体の下部側に支持部材を介して設けられたウエイトを兼ねる台座を有する液晶ディスプレイに関するものである。
【背景技術】
【０００２】
一般に、液晶ディスプレイは、図４、図５に示すように、ディスプレイ本体１０１を支持するために、デイスプレイ本体１０１の下側に支持部材１０２を介して台座１０３が配置されていて、この台座内に液晶ディスプレイ全体を安定させるためのウェイト１０４が配設されていた。ところが、この台座内のほぼ全体に渡ってウェイトが配設されているために、ウェイトの重量でディスプレイが重たいものとなり、また、ウェイトを必要とするためにコスト高になるという問題があった。
【０００３】
第１の従来技術を図６に示す。モニター部２０９とモニター台のジョイント部２０１とそれを取り付けた函体２０２とによって構成し、函体２０２に、ノイズを遮嵌する機能を持つコンセント複数個２０３、交流無停電電源コンセント２０４、通信回線用接続端子２０５を組み込んで各機能を合わせ持つ構造とするものである。（例えば、特許文献１参照）。
ところが、これはモニター部２０９内にバッテリーを内蔵しているものであった。
【０００４】
【特許文献１】実登第３０４２２１３号公報
【発明の開示】
【発明が解決しようとする課題】
【０００５】
本発明は、上記従来の問題を解消し、落雷や事故等による瞬間停電からディスプレイ本体内のデータを守ることができ、且つ台座からウェイトを無くすことができて部品コストの削減を図ることができる液晶ディスプレイを提供することを目的としている。
【課題を解決するための手段】
【０００６】
本発明は、上記課題を解決するために提案されたものであって、請求項１に記載の発明は、前側位置に斜め縦向きに配置されるディスプレイ本体の下部側に支持部材を介して設けられたウエイトを兼ねる台座を有する液晶ディスプレイにおいて、前記台座における前記ディスプレイ本体が位置する箇所の反対側であって、前記台座の中心部より後側位置に２次バッテリーが配置され、この台座の中心部より前側位置に前記２次バッテリーからの直流を交流に変換するための基板が配置され、前記２次バッテリーと台座本体の上壁と底壁との間に２次バッテリーからの発熱を逃がすための略格子状のバッテリー支持部が設けられていることを特徴としている。
【０００７】
請求項２に記載の発明は、斜め縦向きに配置されるディスプレイ本体の下部側に支持部材を介して設けられたウエイトを兼ねる台座を有する液晶ディスプレイにおいて、前記台座における前記ディスプレイ本体が位置する箇所の反対側であって、前記台座の中心部より後側位置に２次バッテリーが配置され、この２次バッテリの前側位置に前記２次バッテリーからの直流を交流に変換するための基板が配置されていることを特徴としている。
【発明の効果】
【０００８】
請求項１に記載の発明によれば、台座に２次バッテリーをディスプレイ本体の位置する箇所の反対側であって、台座の中心より後側位置に配置したことによって、この２次バッテリーの重みで台座を安定させて液晶ディスプレイ全体の安定性を高めることができ、更に台座に配置された２次バッテリーの存在によって、落雷、事故等による瞬間停電からディスプレイ本体内のデータを守ることができ、また、台座からウェイトを無くすことによって部品コストの削減を図ることができる。しかも、２次バッテリーが台座内で略格子状のバッテリー支持部で支持されることによって、２次バッテリーの発熱を効率よく逃がすことができる。
【０００９】
請求項２に記載の発明によれば、台座に２次バッテリーをディスプレイの位置する箇所の反対側であって、台座の中心より後側位置に配置したことによって、この２次バッテリーの重みで台座を安定させて液晶ディスプレイ全体の安定性を高めることができ、更に台座に配置された２次バッテリーの存在によって、落雷、事故等による瞬間停電からディスプレイ本体内のデータを守ることができ、また、台座からウェイトを無くすことによって部品コストの削減を図ることができる。
【発明を実施するための最良の形態】
【００１０】
以下、本発明に係る液晶ディスプレイについて、図を参照しつつ説明する。
図１は本発明の実施形態の液晶ディスプレイを示す一部断面した側面図、図２は同ディスプレイの台座部分の平面断面図、図３は同ディスプレイの正面側から見た斜視図である。
【００１１】
本実施形態の液晶ディスプレイは、図１、図２に示すように、前側位置にディスプレイ本体１が斜め縦向きに配置され、このディスプレイ本体１の背側に斜め向きに支持部材２が設けられ、この支持部材２の下縁に水平向きに台座３が取りつけられている。更に、台座３におけるディスプレイ本体１が位置する箇所の反対側であって、台座３の中心部より後側位置に２次バッテリー４が配置され、この台座３の中心部より前側位置に２次バッテリー４からの直流を交流に変換するための基板５が配置されている。また、２次バッテリー４と台座本体３Ａの上壁３ａと底壁３ｂとの間に２次バッテリー４からの発熱を逃がすための略格子状のバッテリー支持部６が設けられている。
更に、図１に示すように、２次バッテリー４は、ディスプレイ本体１の位置より可能な限り離れた位置に配置することが好ましい。また、図１に示すように、基板５の下側にも複数条のバッテリー支持部６を延設して、これらのバッテリー支持部６で基板５を支持するようにしてもよい。
【００１２】
従って、本実施形態の液晶ディスプレイによれば、台座３に２次バッテリー４をディスプレイ本体１の位置する箇所の反対側であって、台座３の中心より後側位置に配置したことによって、この２次バッテリー４の重みで台座３を安定させて液晶ディスプレイ全体１の安定性を高めることができ、更に台座３に配置された２次バッテリー４の存在によって、落雷、事故等による瞬間停電からディスプレイ本体１内のデータを守ることができ、また、台座３からウェイトを無くすことによって部品コストの削減を図ることができる。しかも、２次バッテリー４が台座３内で略格子状のバッテリー支持部６で支持されることによって、２次バッテリー４の発熱を効率よく逃がすことができる。
【００１３】
また、２次バッテリー４がディスプレイ本体１の位置より可能な限り離れた位置に配置すると、斜め縦向きに配置されたディスプレイ本体１を有するディスプレイ全体が倒れることをより防ぐことができて、より一層安定性を高めることができる。
更に、基板５の下側を複数条のバッテリー支持部６を設けることによって、基板５上の電気部品からの発熱を効率よく放熱することができる。
【図面の簡単な説明】
【００１４】
【図１】本発明の実施形態の液晶ディスプレイを示す一部断面した側面図である。
【図２】同ディスプレイの台座部分の平面断面図である。
【図３】同ディスプレイの正面側から見た斜視図である。
【図４】従来の液晶ディスプレイを示す一部断面した側面図である。
【図５】従来の液晶ディスプレイの台座部分の平面断面図である。
【図６】従来のモニター及びモニター台の斜視図である。
【符号の説明】
【００１５】
１          ディスプレイ本体
２          支持部材
３          台座
３Ａ        台座本体
３ａ        上壁
３ｂ        底壁
４          ２次バッテリー
５          基板
６          バッテリー支持部
【図１】
2005134523.tif 000003
【図２】
2005134523.tif 000004
【図３】
2005134523.tif 000005
【図４】
2005134523.tif 000006
【図５】
2005134523.tif 000007
【図６】
2005134523.tif 000008